(57)【要約】【課題】ハンギングの際に什器の載置部への位置決めをし易い椅子を提供する椅子を提供する。【解決手段】椅子１の座２から垂下する脚４０，４０の支持部４４，４４’と、座２０と略水平に延伸される脚４０，４０の接床部４５，４５’とで形成される開口空間部Ｓを利用して、机１０の天板１１に平面部３０を載置できるようになっている椅子１において、平面部３０よりも支持部４４，４４’の開口空間部Ｓ側に下方に向けて突出した突出部３１を具備する。【選択図】図１
2018075073.tif 000002
【特許請求の範囲】
【請求項１】
椅子の座下面と、該椅子の座から略垂下する垂下脚部と、前記座と略水平に延伸される水平脚部とで形成される開口空間部を利用して、什器の天板に前記椅子の座下面を載置できるようになっている椅子において、
前記座下面よりも前記垂下脚部の前記開口空間部側に下方に向けて突出した突出部を具備していることを特徴とする椅子。
【請求項２】
前記椅子の座下面は、前記座の下方から取り付けられる天板載置用のカバー部材で形成されており、該カバー部材には前記突出部が一体に形成されていることを特徴とする請求項１に記載の椅子。
【請求項３】
前記突出部を有する前記カバー部材は、合成樹脂の一体成型品であることを特徴とする請求項２に記載の椅子。
【請求項４】
前記突出部は、座に対して左右方向に延びる横長凸状体であることを特徴とする請求項１ないし３のいずれかに記載の椅子。
【請求項５】
前記座の上面には上面凹部が形成され、該上面凹部と対峙する位置に、前記突出部が形成されていることを特徴とする請求項１ないし４のいずれかに記載の椅子。
【請求項６】
前記上面凹部は凹部最下端に連なる傾斜面を有しており、前記椅子のスタッキング時に前記突出部が前記上面凹部の傾斜面に案内されるようになっていることを特徴とする請求項５に記載の椅子。
【発明の詳細な説明】
【技術分野】
【０００１】
本発明は、テーブル、机、さらには他の什器に脚を床面から浮かせた状態で配置できる椅子に関する。
【背景技術】
【０００２】
従来、例えばテーブル周辺に椅子が配置された床の清掃効率を向上すべく、机の天板に座下面を載置させて（以下、「ハンギング」と表記する）、床面上の障害物が少なくできる椅子が開発されている。この種類の椅子は、特許文献１に示されるように、座と、座下面に後方側から下方に向けて延伸した脚と、を備える自立可能な椅子であって、脚は、椅子の座下面から垂下する垂下脚部と、座と略水平に延伸される水平脚部と、を有している。このような脚の構造を備えるため、椅子の座下面と、垂下脚部と、水平脚部とで形成される開口空間部を利用して、机の天板に椅子の座下面を載置させ、脚を浮かせた状態で机の上部に椅子を配置することができるようになっている。
【先行技術文献】
【特許文献】
【０００３】
【特許文献１】実用新案登録第３０９８２４５号公報（第８頁、第１図）
【発明の概要】
【発明が解決しようとする課題】
【０００４】
しかしながら、このような特許文献１に示されるような椅子にあっては、椅子の座下面と、垂下脚部と、水平脚部とで形成される開口空間部を利用して、椅子を机にハンギングする際に、椅子が天板から落ちないように注意して椅子の座下面を机の天板に載置していたため、ハンギング時の作業は煩雑であった。
【０００５】
本発明は、このような問題点に着目してなされたもので、ハンギングの際に什器の載置部への位置決めをし易い椅子を提供することを目的とする。
【課題を解決するための手段】
【０００６】
前記課題を解決するために、本発明の椅子は、
椅子の座下面と、該椅子の座から略垂下する垂下脚部と、前記座と略水平に延伸される水平脚部とで形成される開口空間部を利用して、什器の天板に前記椅子の座下面を載置できるようになっている椅子において、
前記座下面よりも前記垂下脚部の前記開口空間部側に下方に向けて突出した突出部を具備する椅子であることを特徴としている。
この特徴によれば、椅子を什器の天板等にハンギングする際に、開口空間部内に位置し椅子を案内する天板は、垂下脚部より先に椅子の座下面の突出部に接触することになるため、什器への位置決めをし易く、ハンギング作業が簡単となる。また、什器の載置部である天板等と垂下脚部との直接の接触が防止される。
【０００７】
前記椅子の座下面は、前記座の下方から取り付けられる天板載置用のカバー部材で形成されており、該カバー部材には前記突出部が一体に形成されていることを特徴としている。
この特徴によれば、天板載置用のカバー部材を座の下方から取り付けるのみで、垂下脚部と突出部との位置合わせが可能となる。
【０００８】
前記突出部を有する前記カバー部材は、合成樹脂の一体成型品であることを特徴としている。
この特徴によれば、天板に対して合成樹脂製のカバー部材で案内して、合成樹脂製の突出部を天板に当接させることができるため、天板の損傷を低減できるばかりか、天板とカバー部材との摩擦力を軽減してハンギング時の負担を軽減できる。
【０００９】
前記突出部は、座に対して左右方向に延びる横長凸状体であることを特徴としている。
この特徴によれば、椅子のハンギング時に、横長凸状体の突出部が什器の天板端部に一体に接触し、天板上における椅子の水平方向の回転を防止できる。
【００１０】
前記座の上面には上面凹部が形成され、該上面凹部と対峙する位置に、前記突出部が形成されていることを特徴としている。
この特徴によれば、複数の椅子をスタッキングする際に、突出部を上面凹部に配置することで上下の椅子の位置合わせが容易となる。
【００１１】
前記上面凹部は凹部最下端に連なる傾斜面を有しており、前記椅子のスタッキング時に前記突出部が前記上面凹部の傾斜面に案内されるようになっていることを特徴としている。
この特徴によれば、複数の椅子をスタッキングする際に、突出部と上面凹部とにより上下の椅子の確実に位置合わせできることになる。
【図面の簡単な説明】
【００１２】
【図１】実施例１における椅子を示す斜視図である。
【図２】座の本体部の下面に取り付けられた脚を示す底面図である。
【図３】座の本体部の下面を示す底側から見た斜視図である。
【図４】机にハンギングされた椅子を示す側部断面図である。
【図５】スタッキングされた２つの椅子を示す側部断面図である。
【図６】変形例１における椅子であって、（ａ）は、座の本体部の下面を示す底面図であって、（ｂ）は、座の側面図である。
【図７】変形例２における椅子であって、（ａ）は、座の本体部の下面を示す底面図であって、（ｂ）は、座の側面図である。
【図８】変形例３における椅子であって、（ａ）は、座の本体部の下面を示す底面図であって、（ｂ）は、座の側面図である。
【図９】実施例２における椅子であって、座の本体部の下面を示す底側から見た斜視図である。
【図１０】スタッキングされた２つの椅子を示す側面図である。
【発明を実施するための形態】
【００１３】
本発明に係る椅子を実施するための形態を実施例に基づいて以下に説明する。
【実施例１】
【００１４】
実施例１に係る椅子につき、図１から図９を参照して説明する。以下、図４の紙面左側を椅子の正面側（前方側）とし、紙面右側を椅子の背面側（後方側）とし、その前方側から見たときの上下左右方向を基準として説明する。
【００１５】
実施例１の椅子１は、図１に示されるように、例えば、実験室で使用されるものであって、図４に示されるように、机１０（什器）の天板１１（載置部）にハンギングすることができるものである。
【００１６】
椅子１は、図１に示されるように、合成樹脂製の座２と、座２の詳しくは後述する本体部２０の下面２ａに固定された脚ユニット４と、から主に構成されている。本体部２０の下面２ａにはケース３（カバー部材）が固定されており、このケース３により脚ユニット４と本体部２０の下面２ａとの固定部分が被覆されている。また、後述する脚ユニット４の支持部４４，４４’（垂下脚部）及び接床部４５，４５’（水平脚部）並びにケース３の平面部３０（椅子の座下面）により開口空間部Ｓが形成されている。尚、椅子１の座下面は、後述するハンギング時に天板等に載置・接触する座２の下面２ａ側の部分である。
【００１７】
座２は、略水平方向に延在する本体部２０と、本体部２０の後端から反り上がるように延設された腰当て２９が一体形成されている。また、腰当て２９は、上部側が左右方向に延び正面視略小判形の貫通孔２９ｂが形成されており、貫通孔２９ｂとその上端側の橋絡部により形成される把持部２９ａにより、椅子１の持ち運びが容易となっている。尚、座２は、金属製や木製であってもよく、合成樹脂に限定するものではない。
【００１８】
また、座２の本体部２０は、上面側の座面２ｂ（座の上面）と、底面側の下面２ａを備えており、座面２ｂには、凹部２１（上面凹部）が形成されている。図１，４に示されるように、凹部２１は、座面２ｂの略中央が最も窪んだ凹部最下端２１ａから前後左右方向両端に向かって反り上がる傾斜面２１ｂによりラウンド形状に形成されている。特に、座面２ｂの前側の端部２２，２２は、左右端部にそれぞれ座面２ｂで最もせり上がって形成されている。このように、座面２ｂは、使用者の臀部の形状に沿って形成されていることから、着座した際の身体から受ける圧力を分散させることができる。尚、座２は、布や革等によりカバーされていてもよい。さらに尚、凹部２１には、例えばその形状に合わせて、スポンジ材等を貼り付けてもよい。
【００１９】
また、本体部２０の下面２ａには、図２に示されるように、短尺の第１ボルト５０，５０，…を螺合させるための直接図示しない雌ネジが形成された第１雌ネジ部２５，２５，…が４箇所配設されており、第１雌ネジ部２５，２５，…の外方には、長尺の第２ボルト５１，５１，…（図３参照）を螺合させるための第２雌ネジ２６，２６，…が形成されている。
【００２０】
脚ユニット４は、図１，２に示されるように、１本の金属製パイプが曲げ形成された脚４０と、金属製パネルが略長方形状に形成された支持板４８から構成されており、脚４０は、端部４２，４２’が支持板４８の略中央に溶接されて取り付けられている。尚、脚４０は、複数の金属製パイプを溶接することで形成されていてもよい。
【００２１】
脚４０は、後方に向かって互いに平行に形成された一対の端部４２，４２’と、端部４２，４２’それぞれの後端から外方向に拡張することで底面視略ハ字状に曲げ形成された一対の拡張部４３，４３’と、拡張部４３，４３’それぞれの後端から下方に向けて略垂直に曲げ形成された一対の支持部４４，４４’と、支持部４４，４４’それぞれの下端から前方に向けて略垂直に曲げ形成された一対の接床部４５，４５’と、接床部４５，４５’それぞれの前端から上方に立ち上がり正面視略台形状に形成されたステップ４６とから、右側面視略Ｊ字状に形成されている。接床部４５，４５’は、前端と後端にそれぞれ、滑り止部材４７，４７，…が装着されている。支持部４４、４４’は、略鉛直方向の荷重を支持している。支持部４４，４４’の長さを変えることにより、所望の高さの座面２ｂを有する椅子１とすることができる。
【００２２】
ステップ４６は、水平方向に形成された横架部４６ａに渡って滑り止部材４６ｂが取付けられて構成されている。これにより、ステップ４６に利用者が足を乗せることで安定した姿勢で着座することができ、利用者がステップ４６に乗せた足を滑らせ難いことから、座面２ｂに着座した際に足が床まで届かない利用者であっても安全に利用することができる。
【００２３】
図２に示されるように、支持板４８は、座２の第１雌ネジ部２５，２５，…の各雌ネジに対応する位置に丸孔４９，４９，…が各角に穿設されており、丸孔４９，４９，…に第１ボルト５０，５０，…を挿通し、第１ボルト５０，５０，…を第１雌ネジ部２５，２５，…に螺合することで本体部２０の下面２ａに固定される。すなわち、脚ユニット４は、脚４０が支持板４８に溶接されているため、支持板４８が下面２ａに固定されることで脚ユニット４が下面２ａに固定される。尚、支持板４８の固定は、リベット等の他の固定手段を用いてもよい。
【００２４】
図２，３に示されるように、ケース３は、上面が開放する高さの低い略箱状に合成樹脂で型抜き形成されている。この、ケース３は、平坦な略平面状に形成された平面部３０と、平面部３０の後端にて下方に向けて略垂直に突出した突出部３１と、平面部３０の前端より上方に向けて前傾斜に延設された前側部３２と、突出部３１の後端から上方に向けて後傾斜に延設された後側部３３と、平面部３０の左右端からそれぞれ略垂直方向に立設する右側部３４及び左側部３５から略箱状に形成されている。平面部３０の前端、突出部３１の後端、前側部３２、後側部３３は、幅方向における略中央が外方に突出するラウンド形状に形成されている。尚、ケース３は、略箱状の内側と外側の間の厚みが薄い板状に形成されていることから、ケース３全体の重量が軽量となっている。
【００２５】
また、ケース３は、図２に示されるように、座２の本体部２０よりも前後左右寸法が短尺に形成されている。これにより、厚みの薄く形成された本体部２０の前後左右の端部２０ａ，２０ｂ，２０ｃ，２０ｄは、ケース３の前後左右端よりも突出した形状となっているため、椅子１の持ち運び時に把持しやすい。
【００２６】
突出部３１は、右側部３４及び左側部３５に亘って形成された横長凸状体であり、突出部３１の前端において平面部３０に対して略垂直の平坦な壁面状に形成された前面壁部３１ａと、前面壁部３１ａ及び後側部３３それぞれの下端に連接する突出面３１ｂから主に構成されており、突出面３１ｂは、略中央が下方に向けて突出するラウンド形状に形成されている（図１参照）。
【００２７】
詳しくは、突出面３１ｂのラウンド形状は、座面２ｂの凹部２１における凹部最下端２１ａの左右方向の形状に沿う形状に形成されており、突出部３１の後端の形状は、凹部２１に突出面３１ｂが載置された際の、前後方向に見て凹部最下端２１ａの腰当て２９側の形状に沿う形状に形成されている。突出部３１及び前側部３２、後側部３３は、それぞれラウンド形状に形成されているため、略箱状に形成されるケース３全体の構造強度が高められている。さらに、突出部３１は、リブ形状であることから、突出部３１及びその近傍の構造強度が高められている。
【００２８】
また、ケース３の右側部３４及び左側部３５は、後側部３３側においてそれぞれの上端から平面部３０近傍に亘る左右一対の切欠き部３６，３６が形成されている。
【００２９】
ケース３には、第２雌ネジ２６，２６，…（図２参照）に対応する位置に上方に向けて延びる円筒状に形成された係止部３７，３７，…が形成されており、各係止部３７，３７，…には貫通孔が穿設されている。脚４０の拡張部４３，４３’にケース３の切欠き部３６，３６を遊嵌させ、係止部３７，３７，…に第２ボルト５１，５１，…を挿通し、第２雌ネジ２６，２６，…に螺合して、ケース３を本体部２０の下面２ａに固定することができる。尚、平面部３０は、脚ユニット４により椅子１を自立させたとき、略水平となっている。さらに尚、ケース３の固定は、リベット等の他の固定手段を用いてもよい。
【００３０】
図１に示されるように、開口空間部Ｓは、脚ユニット４の支持部４４，４４’及び接床部４５，４５’並びにケース３の平面部３０により形成されており、座２の下方において、前方から脚４０の支持部４４，４４’にかけて前左右側が開口している。これにより、開口空間部Ｓには、例えば机１０の天板１１（図４参照）に、前左右側からのアクセスが自在となっている。
【００３１】
また、開口空間部Ｓは、例えば詳しくは後述する椅子１’（図５参照）のように、脚４０の支持部４４，４４’及び接床部４５，４５’、ステップ４６の間からのアクセスが自在となっている。
【００３２】
これまで、椅子１の構造について説明してきたが、これより図２，４を用いて、椅子１を机１０の天板１１にハンギングする際の態様について詳しく説明する。
【００３３】
まず、ハンギングを行うにあたり、椅子１を机１０の天板１１より高所に持ち上げる。尚、図２，４に示されるように、椅子１には、把持部２９ａ、座２の本体部２０の前後左右の端部２０ａ，２０ｂ，２０ｃ，２０ｄ、脚４０の支持部４４，４４’等、把持しやすい個所が備えられている。
【００３４】
次いで、持ち上げた椅子１の開口空間部Ｓを介して机１０の天板１１の上に載せることで平面部３０が天板１１に載置されて椅子１は机１０にハンギングできる。更に詳細には、例えば平面部３０の前端を少なくとも机１０の天板１１における縁部１２（天板端部）の上方の角部１３（天板端部）よりも上方に持ち上げ、角部１３に平面部３０を接触させ、角部１３を支点に天板１１の縁部１２と対向する縁部に向かって平面部３０を摺動させることでハンギングを行う。また、平面部３０全体を机１０の天板１１より上方に持ち上げ、突出部３１の前面壁部３１ａを天板１１の縁部１２に当接させた状態で椅子１を下方に移動させて、椅子１を天板１１に載置してもよい。
【００３５】
椅子１には、突出部３１が設けられているため、その前面壁部３１ａが天板１１の縁部１２に当接して椅子１の移動を規制する。また、脚４０の支持部４４，４４’は突出部３１よりも後方に設けられている。これらにより、ハンギングの際に、天板１１の縁が脚４０の支持部４４，４４’に接触することを防ぐことができる。そのため、天板１１への位置決めをし易く、ハンギング作業が簡単となる。また、脚４０及び机１０に傷や打痕が形成されることを防ぐことができる。
【００３６】
また、突出部３１は、左右端に亘って形成されているため、突出部３１の前面壁部３１ａが机１０の縁部１２に接触すると、縁部１２と前面壁部３１ａとは平行に位置合わせがなされる。そのため、椅子１をハンギングする際に、天板１１から落下しにくい位置に簡単に案内できる。また、縁部１２に対して前面壁部３１ａが平行になるよう位置が案内されるため、確実に脚４０と天板１１の縁部１２との接触を防ぐことができる。
【００３７】
また、突出部３１は、左右に亘って形成されたリブ形状であるため、構造強度が高められていることから、突出部３１の前面壁部３１ａが机１０の天板１１の縁部１２に接触しても破損し難い。一方、突出部３１の前面壁部３１ａが机１０の縁部１２に接触しても、突出部３１が机１０との接触における衝撃をリブ形状により緩和することができるため、机１０に傷や打痕が形成されることを防ぐことができる。
【００３８】
椅子１は、机１０の天板１１に長時間ハンギングされたとしても、平面部３０が天板１１に面接しているため、天板１１に対する椅子１の重量が分散されていることから、ハンギングによる傷や跡が形成されにくい。また、平面部３０は、例えばゴム製ではなく合成樹脂製であるため、天板１１を汚すことがない。
【００３９】
次いで、椅子１を他の椅子１’にスタッキングする際の態様について、図２，５を用いて詳しく説明する。尚、説明の便宜上、椅子１，１’と区別するが、共に実施例１における同一構成の椅子１である。
【００４０】
図２，５に示されるように、椅子１の把持部２９ａ及び本体部２０の前後左右の端部２０ａ，２０ｂ，２０ｃ，２０ｄ等を把持し、ケース３全体を下方の椅子１’の座面２ｂ’よりも上方に持ち上げ、座面２ｂ’上に載置することで、椅子１を下方の椅子１’の上にスタッキングすることができる。脚４０は、拡張部４３，４３’により外方向に延設されているため、脚４０の間から椅子１の開口空間部Ｓに座２’を嵌入させることが可能となっている。
【００４１】
詳しくは、椅子１の突出部３１は、突出面３１ｂが座面２ｂ’の凹部２１’における凹部最下端２１ａのラウンド形状に沿うラウンド形状であることから、凹部２１’上を突出部３１が移動するとき、凹部２１の凹部最下端２１ａから反り上がった傾斜面２１ｂに案内されるため、突出面３１ｂの凹部２１’への載置や左右方向の位置合わせが簡単である。
【００４２】
これにより、椅子１は、後方では突出部３１が座面２ｂの凹部２１’に支持され、前方では平面部３０が座面２ｂ’前部の左右の端部２２’，２２’で支持されることで、椅子１のケース３が椅子１’のケース３’に対して、略水平にスタッキングすることができる。このため、複数の椅子１，１，…の座２が傾斜することなく略垂直に積み重ねることができるため、安定したスタッキングを行うことができる。
【００４３】
また、椅子１は、他の椅子１’にスタッキングの位置合わせがなされた後、平面部３０が座面２ｂ’前部の左右の端部２２’，２２’の２箇所により略点状に支持され、突出部３１が凹部２１’に略線状に支持されているため、椅子１の荷重がそれら接触箇所に集中することから、その場所からずれにくくなっている。これにより、スタッキング後も倒れにくくなっているため、安全に保管することができる。
【００４４】
また、複数の椅子１，１，…は、長期間スタッキングしても、平面部３０が座面２ｂ’前部の左右の端部２２，２２に略点状に支持され、突出部３１が凹部２１に略線状に支持されているため、下方の椅子１にかかる荷重が分散されていることから、積み重ねによる荷重により座面２ｂが変形しにくい。
【００４５】
また、複数の椅子１，１，…をスタッキングさせた際、突出部３１は、座面２ｂの凹部２１に嵌入された状態となるため、突出部３１が見えにくい状態となることから、外観からの意匠性がよい。
【００４６】
また、複数の椅子１，１，…をスタッキングさせた際、各腰当て２９，２９，…が前後方向に離間した状態でスタッキングされているため、腰当て２９に形成された把持部２９ａの把持が容易である。このとき、椅子１の本体部２０の前端部２０ａも、下方の椅子１よりも前方に突出しているため、把持を行うことが容易である。これにより、スタッキング時にも把持部２９ａと前端部２０ａを両手で把持することで、下方の椅子１に手を挟みにくくなっており、スタッキングされた椅子１を下すときにも、把持することが容易である。
【００４７】
これまで説明してきたように、椅子１は、机１０の天板１１にハンギングする際に、開口空間部Ｓ内に位置し椅子１を案内する天板１１は、初めに椅子１の突出部３１に接触することになるため、天板１１と脚４０との直接の接触が防止される。
【００４８】
また、ケース３には、突出部３１と、本体部２０の下面２ａの雌ネジ５２，５２，…に応じて位置合わせがなされた係止部３７，３７，…の貫通孔が形成されているため、本体部２０の下面２ａの下方からケース３を取り付けるのみで、突出部３１の位置合わせを行うことが可能である。
【００４９】
また、ケース３は、合成樹脂の一体成型品であるため、机１０の天板１１を合成樹脂製のケース３の平面部３０で案内した後、合成樹脂製の突出部３１に当接させることができるため、天板１１の損傷を低減できるばかりか、ケース３の重量が軽量であることから、天板１１とケース３との摩擦力を軽減してハンギング時の負担を軽減できる。
【００５０】
また、突出部３１は、座２の本体部２０に対して左右方向に延びる横長凸状体であるため、椅子１のハンギング時に、突出部３１が机１０の天板１１の縁部１２に一体に接触し、天板１１上における椅子１の水平方向の回転を防止できる。
【００５１】
尚、脚４０は、１本の金属製パイプが曲げ形成された態様として説明したが、これに限らず、支持部４４，４４’は複数のパイプ状部材を上下方向に連結して略直線状に形成されていてもよい。この態様であれば、例えばパイプ状部材の長さを変更することで椅子の高さを調整することができる。
【００５２】
突出部３１は、横長凸状体である態様として説明したが、これに限らず、略円柱状や略四角柱状、略三角錐状等に形成されていてもよく、その形状を限定するものではない。
【００５３】
また、突出部３１は、凹部２１の凹部最下端２１ａのラウンド形状に沿うラウンド形状である態様として説明したが、これに限らず、腰当て２９近傍の形状に沿っていてもよい。この態様であれば、複数の椅子をスタッキングした際の前後寸法をコンパクトにすることができる。また、突出部３１は、目的に応じて突出部が位置合わせされればよいため、任意の位置で位置合わせされる態様であればよい。
【００５４】
凹部２１は、凹部最下端２１ａと傾斜面２１ｂによりラウンド形状に形成されている態様として説明したが、これに限らず、突出部が遊嵌されるための溝形状、孔形状等であってもよく、これらの形状がラウンド形状と組合わせられていてもよい。この態様であれば、スタッキング後の複数の椅子に振動・震動が作用しても、振動・震動による落下を防ぐことができる。
【００５５】
前記実施例１において、椅子１は、ケース３を備える態様で説明したが、例えば別体のケースを備えず、本体部の下面に平面部及び突出部を備える一体成型品の座を備えた構成であってもよい。
［変形例１］
【００５６】
また前記実施例１においては、平面部３０と突出部３１とを一体のケース３に形成した構成で説明したが、平面部と突出部がそれぞれ別体の部材により形成される変形例１について、図６（ａ），（ｂ）を参照して詳しく説明する。
【００５７】
椅子２００は、本体部２２０の下面２０２ａに略円柱形状に形成された４個の載置部材２３０，２３０，…と、載置部材２３０の高さ寸法よりも長尺に形成された略円柱形状の２個の突出部材２３１，２３１とを備えている。尚、脚２４０は、端部２４２，２４２’が本体部２２０の下面２０２ａに固定されている。
【００５８】
載置部材２３０，２３０，…は、自由端である平面部２３０ａ，２３０ａ，…の高さ位置が略同一となる（椅子の座下面）ように、かつ略四角形の各頂点に位置するように本体部２２０の下面２０２ａに固定されており、平面部２３０ａ，２３０ａ，…により略水平面を形成している。このように、椅子の座下面は、複数の載置部材によって構成されていてもよい。
【００５９】
また、突出部材２３１，２３１は、脚２４０の支持部２４４，２４４’よりも前方において、本体部２２０の下面２０２ａに左右一対に固定されているため、突出部材２３１，２３１の前面によって略直線状の略垂直面が形成されている。
【００６０】
これらの構成により、椅子２００は、平面部２３０ａ，２３０ａ，…をすべて机１０の天板１１に載置させることで、安定したハンギングを行うことができる。また、天板１１の縁部１２に突出部材２３１，２３１の前端を共に接触させることで、ハンギングを行う際に、脚２４０の支持部２４４，２４４’と机１０の天板１１との接触を防ぎ、かつハンギングの位置を案内することができる。
【００６１】
また、椅子２００を他の椅子２００’にスタッキングを行う際には、突出部材２３１，２３１が略円柱状であるため、突出部材２３１，２３１を他の椅子２００’の座面２０２ｂ’の凹部２２１’に移動するのが、直線状に形成された突出部よりも容易である。次いで、前方の載置部材２３０，２３０が他の椅子２００’の座面２０２ｂ’に載置されることで他の椅子２００’の座面２０２ｂ’に対して椅子２００の座面２０２ｂを水平に重ねることができるため、安定したスタッキングを容易に行うことができる。
【００６２】
尚、椅子２００は、脚２４０の端部２４２，２４２’が本体部２２０の下面２０２ａに固定されている態様として説明したが、これに限らず、支持板に脚が固定された脚ユニットが下面２０２ａに固定されていてもよい。この態様であれば、載置部材２３０は、脚ユニットの支持板に備え付けられていてもよい。
【００６３】
また、載置部材２３０は、略円柱状であると説明したが、これに限らず、略四角柱状や略三角錐状等に形成されていてもよく、その形状を限定するものではない。
［変形例２］
【００６４】
また、前記実施例１において、脚ユニット４は、脚４０が１本の金属製パイプを曲げ形成することで形成された一対の接床部４５，４５’によって自立する態様であったが、これに限らず、１本又は３本以上の複数本の脚で自立する構成であってもよい。例えば、変形例２の椅子３００は、図７（ａ），（ｂ）に示されるように、１本の支持部３４４を有する脚３４０と、後端部略中央に略円状の切欠き部３０３ａが形成されたケース３０３を備えており、脚３４０は、支持部３４４が本体部３２０の下面３０２ａの後端部略中央にて略垂直に固定されている。
【００６５】
ケース３０３は、平面部３３０（椅子の座下面）と、ケース３０３の切欠き部３３０ａの前方において左右に亘って形成された突出部３３１を備えており、切欠き部３０３ａに脚３４０の支持部３４４を挿通するように本体部３２０の下面３０２ａに固定されている。
【００６６】
これらの構成により、椅子３００は、平面部３３０を机１０の天板１１に載置させることで、安定したハンギングを行うことができる。また、天板１１の縁部１２に突出部３３１の前端を接触させることで、ハンギングを行う際に、脚３４０の支持部３４４に机１０の天板１１が接触することを防ぐとともに、ハンギングの位置を案内することができる。
［変形例３］
【００６７】
また、変形例２に続き、例えば変形例３の椅子４００は、図８（ａ），（ｂ）に示されるように、２本の脚４４０，４４０’を備えており、脚４４０，４４０’は、本体４２０の下面４０２ａの後端部の左右にそれぞれ垂下脚部が直接固定されている。この場合、載置部材４３０を、前方側に突出する弓形に形成することができる。これによれば、本体４２０の下面４０２ａにおいて、前方側に曲面が突出するように前端部と略中央に一つずつ固定し、それぞれの自由端面である平面部４３０ａ，４３０ａにより略水平面（椅子の座下面）を形成することができる。そのため、弓型の載置部材４３０は、略線状に形成されている時よりも天板との接触面積が広く、安定したハンギングを行うことができる。
【００６８】
また、突出部材４３１，４３１を、前方側に突出する弓形に形成し、脚４４０の垂下脚部の前方近傍にそれぞれ配置でき、確実に接触を防止できる。また、前方側に曲面が突出するように本体４２０の下面４０２ａに固定されているため、ハンギング時には机１０の天板１１が突出部材４３１，４３１の円弧面に接触するため、天板１１との位置合わせにおける移動が容易である。
【００６９】
以上、本発明の実施例１を図面により説明してきたが、具体的な構成はこれら実施例１に限られるものではなく、本発明の要旨を逸脱しない範囲における変更や追加があっても本発明に含まれる。
【００７０】
例えば、前記実施例１では、平面部は、平坦な平面状と説明したが、これに限らず、エンボス等が形成された態様であってもよい。この態様であれば、ハンギングの際に机１０の天板１１との接触面積が小さくなることから、天板１１上での摺動が容易となる。また、平面部は、複数の平面部から形成されていてもよい。
【００７１】
また、平面部と突出部は、一体形成されている態様として説明したが、これに限らず、変形例２，４のようにそれぞれが別体であり、それぞれが配設されていてもよい。この態様であれば、机の形状に応じて突出部の取付位置を変更することができる。
【００７２】
突出部は、左右端に延設されている態様として説明したが、これに限らず、例えば複数の突出部が脚と座の裏部との間において略直線状に点在していてもよい。また、突出部が湾曲した形状であっても、両端部同士により略直線状が形成されているため、略直線状に点在していることと同意である。
【００７３】
また、突出部は、左右端に延設又は略線状に配設されている態様として説明したが、これに限らず、脚の支持部前方に一つだけ備え付けられている態様であってもよい。また、脚やケースの後側部から支持部の前方にせり出すような形状であってもよい。
【００７４】
椅子は、机１０の天板１１にハンギングされる態様として説明したが、これに限らず、平面部を載置させることが可能であれば、例えば棚等にハンギングされてもよく、机１０に限定するものではない。
【００７５】
椅子は、腰当てが座と一体形成されている態様として説明してきたが、これに限らず、別体の腰当てと座とが組合せられていてもよく、腰当てが無い構成であってもよい。
【００７６】
椅子は、座の後端部に脚の支持部が位置する態様として説明してきたが、これに限らず、座の前端部に脚の支持部が位置していてもよく、両側方のいずれかに位置していてもよい。すなわち、脚の支持部がいずれか一端に集中していればよい。
【実施例２】
【００７７】
次に、実施例２に係る椅子５００につき、図９及び図１０を参照して詳しく説明する。尚、前記実施例１と同一構成で重複する構成を省略する。
【００７８】
椅子５００は、座５０２と、本体部５２０の下面５０２ａに固定され下方の椅子５００’にスタッキングする平面部５３０を備えるケース５０３とを備え、かつケース５０３の左右に一対のフック部材５６０，５６０が設けられている。
【００７９】
フック部材５６０は、合成樹脂により一体形成されており、略鈍角三角形状に形成された一対の側面５６１，５６１’と、側面５６１，５６１’の間の厚み方向に形成された一対の溝部５６２，５６２と、鈍角に形成された頂点部５６０ａから側面５６１より略垂直に外方向へ突出するアーム部５６３と、アーム部５６３の外方向の端部に形成された略円盤状の返し部５６４から構成されている。尚、フック部材５６０は、金属製や木製であってもよく、合成樹脂に限定するものではなく、一体形成されていなくてもよい。
【００８０】
フック部材５６０は、図示しないボルトにより本体部５２０の下面５０２ａに固定されている。尚、フック部材５６０は、側面５６１’がケース５０３の切欠き部５３６，５３６の前方近傍に位置するように固定されている。
【００８１】
アーム部５６３は、返し部５６４より小径の略円柱形状に形成され、返し部５６４がアーム部５６３の周回りより外径方向に突出しており、例えば利用者が手荷物等をアーム部５６３に滑落を防止した状態に吊支することができる。
【００８２】
また、フック部材５６０は、アーム部５６３及び返し部５６４が座５０２の両側方よりも突出しないように固定されている。そのため、利用者が椅子５００に着座するとき及び着座している際に、フック部材５６０及び、吊支された手荷物等が利用者に接触しにくいため利便性が良い。一方、椅子５００に着座する利用者の直下にフック部材５６０が位置するため、手荷物等の収納・取出しが容易である。
【００８３】
また、フック部材５６０の高さ寸法Ｔ１は、ケース５０３の高さ寸法Ｔ２より小さく形成されており、フック部材５６０はケース５０３よりも下方に突出しないようにされている（図１０参照）。そのため、椅子５００をハンギングする際には、ケース５０３の平面部５３０を机１０の天板１１等に載置することができる。
【００８４】
また、図１０に示されるように、椅子５００を下方の他の椅子５００’の上にスタッキングする際には、ケース５０３の厚みにより離間する椅子５００の本体部５２０と下方の椅子５００’の本体部５２０’との間にフック部材５６０が位置し、下方の椅子５００’に接触することがないため、スタッキングの安定性を妨げることがない。
【００８５】
尚、フック部材５６０について説明したが、他のオプション部材、例えばカゴや布製のポケット、ポール等が取り付けられていてもよい。さらに尚、フック部材５６０は、ボルトにより固定される態様として説明したが、これに限らず、リベット等の他の固定手段を用いてもよい。
【００８６】
椅子５００は、ケース５０３がフック部材５６０よりも下方に突出した態様として説明したが、これに限らず、フック部材５６０をケース５０３より下方に突出させてもよい。この場合には、例えばフック部材５６０を座５０２の上面に形成された凹部に嵌入させることで、スタッキングの安定性を妨げない構成とすることができる。
【００８７】
アーム部５６３及び返し部５６４は、座５０２の両側方よりも突出していない態様として説明したが、これに限らず、座５０２の両側方より若干突出していてもよい。この態様であれば、手荷物等をかける作業が容易となる。
【００８８】
フック部材５６０は、左右に一対である態様として説明したが、これに限らず、左右のいずれか片方だけに固定される態様でもよく、３個以上のフック部材が固定されていてもよい。さらに、フック部材が固定される位置は、左右に限定するものでもなく、本体部５２０の下面５０２ａの下方であれば任意の場所に固定される態様であってもよい。
【００８９】
前記実施例２で説明してきたフック部材５６０は、前記実施例１で説明してきた椅子１に備え付けてもよい。この態様の椅子であれば、椅子を机にハンギングする際には脚及び机に傷や打痕が形成されることを防ぐことができ、複数の椅子をスタッキングする際には安定したスタッキングを行うことができ、椅子としての使用時には利用者の手荷物等をフック部材にかけることができるため、椅子１及び椅子５００と比較して更に利便性が向上する。
【符号の説明】
【００９０】
１，１’            椅子
２，２’            座
２ｂ，２ｂ’        座面（座の上面）
３                  ケース（カバー部材）
１０                机（什器）
１１                天板
１２                縁部（天板端部）
１３                角部（天板端部）
２１，２１’        凹部（上面凹部）
３０                平面部（椅子の座下面）
３１                突出部
４０                脚
４４，４４’        支持部（垂下脚部）
４５，４５’        接床部（水平脚部）
２３０ａ            平面部（椅子の座下面）
３３０              平面部（椅子の座下面）
４３０ａ            平面部（椅子の座下面）
Ｓ                  開口空間部
【図１】
2018075073.tif 000003
【図２】
2018075073.tif 000004
【図３】
2018075073.tif 000005
【図４】
2018075073.tif 000006
【図５】
2018075073.tif 000007
【図６】
2018075073.tif 000008
【図７】
2018075073.tif 000009
【図８】
2018075073.tif 000010
【図９】
2018075073.tif 000011
【図１０】
2018075073.tif 000012